(57)【要約】  本発明は、書類を担持する台脚（１２）を載置するために前部領域に配置される台板（１４）と、前記台脚（１２）の後部領域に設けた支持ブロック（１６）において横軸（１８）のまわりに制限的に回動可能なステープルマガジン（２０）と、前記横軸（１８）のまわりに前記ステープルマガジン（２０）および前記台脚（１２）に対し制限的に回動可能で、前記ステープルマガジン（２０）の前端に設けたステープルスロット（２６）を通じて書類綴じステープルを押し出す駆動体を担持している駆動脚（２２）とを備え、前記ステープルスロット（２６）が、前記ステープルマガジン（２０）の前端から前記支持ブロック（１６）の方向へ延在している複数個の側壁（３０）の間で前記ステープルマガジン（２０）の底壁（２４）を貫通して横方向に延在し、前記ステープルスロット（２６）の前端を前記書類綴じステープルのための係止板（２８）によって画成するようにしたステープラーに関わる。本発明によれば、前記ステープルスロット（２６）が前記ステープルマガジン（２０）の前記側壁（３０）に対し閉鎖されていること、前記ステープルマガジン（２０）がその前記側壁（３０）にそれぞれ前記底壁（２４）から突出する心棒（３２）を有していること、前記心棒（３２）が前記ステープルスロット（２６）の両側に配置されている。
2011513080.tif 000002
【特許請求の範囲】
【請求項１】
書類を担持する台脚（１２）を載置するために前部領域に配置される台板（１４）と、前記台脚（１２）の後部領域に設けた支持ブロック（１６）において横軸（１８）のまわりに制限的に回動可能なステープルマガジン（２０）と、前記横軸（１８）のまわりに前記ステープルマガジン（２０）および前記台脚（１２）に対し制限的に回動可能で、前記ステープルマガジン（２０）の前端に設けたステープルスロット（２６）を通じて書類綴じステープルを押し出す駆動体を担持している駆動脚（２２）とを備え、前記ステープルスロット（２６）が、前記ステープルマガジン（２０）の前端から前記支持ブロック（１６）の方向へ延在している複数個の側壁（３０）の間で前記ステープルマガジン（２０）の底壁（２４）を横方向に貫通して延在し、前記ステープルスロット（２６）の前端を前記書類綴じステープルのための係止板（２８）によって画成するようにしたステープラーにおいて、
前記ステープルスロット（２６）が前記ステープルマガジン（２０）の前記側壁（３０）に対し閉鎖されていること、前記ステープルマガジン（２０）がその前記側壁（３０）にそれぞれ前記底壁（２４）から突出する心棒（３２）を有していること、前記心棒（３２）が前記ステープルスロット（２６）の両側に配置されていることを特徴とするステープラー。
【請求項２】
前記心棒（３２）の、互いに対向しあっている内面（３４）が、それぞれ前記ステープルスロット（２６）を画成している画成面（３６）と整列していることを特徴とする、請求項１に記載のステープラー。
【請求項３】
前記心棒の前記内面（３４）が実質的に１つの書類綴じステープルの幅に相当する間隔を互いに有していることを特徴とする、請求項２に記載のステープラー。
【請求項４】
前記心棒（３２）が前記台脚（１２）の方向に尖っていることを特徴とする、請求項１から３までのいずれか一つに記載のステープラー。
【請求項５】
前記心棒（３２）が、前記ステープルマガジン（２０）の前記側壁（３０）に対し横方向において、三角形の横断面を有していることを特徴とする、請求項４に記載のステープラー。
【請求項６】
前記ステープルマガジン（２０）が前記係止板（２８）を一体に成形した曲げ部材として形成されていることを特徴とする、請求項１から５までのいずれか一つに記載のステープラー。
【請求項７】
前記心棒（３２）が前記ステープルマガジン（２０）の前記側壁（３０）に一体に成形されていることを特徴とする、請求項１から６までのいずれか一つに記載のステープラー。
【請求項８】
前記ステープルマガジン（２０）が、前記係止板（２８）と前記心棒（３２）とを有し且つ前記側壁（３０）と結合されているマガジンヘッドを有し、該マガジンベットが前記ステープルスロット（２６）を側方から閉鎖していることを特徴とする、請求項１から５までのいずれか一つに記載のステープラー。
【発明の詳細な説明】
【技術分野】
【０００１】
本発明は、請求項１の上位概念に記載のステープラーに関するものである。
【背景技術】
【０００２】
この種のステープラーは、複数枚の書類を書類綴じステープルを用いてまとめて綴じるために用いられる。このため、ステープルマガジン内に、多数の書類綴じステープルから成るステープル束が収納され、ステープル束は係止板に対し弾性的に押圧される。係止板はステープルマガジンの前端のためにステープルスロットを画成し、その都度最前列の書類綴じステープルはこのステープルスロットを通じて駆動脚とステープルマガジンとを押し下げる際の駆動体による力の作用によって台脚へ押し出される。書類綴じステープルはそのステープル脚でもって書類を突き破り、台板内で輪郭が変形する。ステープルスロットはステープルマガジンの底壁を横方向に貫通して延在し、この方向において、一方のステープル脚から他方のステープル脚のほうへ測った１つのステープルの幅に相当する幅を有している。ステープルスロットは底壁において横方向に延在しているばかりでなく、一部は横から側壁を通って上方へ延在している。この領域では側壁はステープル脚のガイドを形成しておらず、その結果ステープル脚は、非対称な荷重の場合、或いは、書類綴じステープルにすでにわずかな変形がある場合、望ましくない方向に折れることがある。特に、台板上にある書類が書類綴じ過程の間に不慮に動くと、たとえば利用者が書類を急に引っ張ると、書類綴じステープルの前記変形を助長し、特に書類綴じの際にステープラーを手で保持する場合がそうである。このようなステープルの変形から望ましくない綴じミスが生じる。
【発明の概要】
【発明が解決しようとする課題】
【０００３】
それ故、本発明の課題は、冒頭で述べた種類のステープラーを、綴じミスの恐れが少なくなるように改良することである。
【課題を解決するための手段】
【０００４】
この課題は、本発明によれば、請求項１の構成を備えたステープラーによって解決される。他の有利な構成は従属項の対象である。
【０００５】
本発明による構成要件の組み合わせにより、互いに補完的な複数の利点が同時に得られる。１つは、ステープルスロットがステープルマガジンの側壁に対し閉じていることにより、ステープルの案内が良好になることである。すでにこの処置により、ステープルはステープルマガジンの側壁によって該ステープルマガジンの下端まで案内される。心棒がステープルスロットの両側に配置されていることにより、ステープル脚のサイドガイドが部分的に台板のほうへ下方へ延長される。さらに、ステープルマガジンが書類に押しつけられると、心棒は台板上にある書類を固持し、その結果書類がステープルスロットに対し簡単にずれることがない。
【０００６】
心棒による特に良好な補助案内は、その互いに対向しあっている内面がそれぞれステープルスロットを画成している境界面と整列することで達成される。この場合、心棒内面が互いに間隔を有し、この間隔が実質的にステープル脚の互いに逆の側の外面の間で測ったステープルの幅に相当しているのが有利である。このケースでは、綴じる際にステープル脚が境界面と心棒内面とに沿って滑動し、該境界面と心棒内面とによって案内され、側部が安定化される。
【０００７】
合目的には、心棒は台脚の方向に尖っている。この場合、心棒は一部分が書類の中へ容易に圧入することができ、書類を固持する。なお、心棒がステープルマガジンの縦面に対し横方向において三角形の横断面を有しているのが有利である。
【０００８】
有利な実施態様によれば、ステープルマガジンは係止板を一体に成形した板または薄板から成る曲げ部材として形成されている。この場合、心棒がステープルマガジンの側壁に一体に配置されているのが有利である。しかしながら、ステープルマガジンが、係止板と心棒とを有し且つ前記側壁と結合されるマガジンヘッドを有し、該マガジンヘッドがステープルスロットを側方から閉鎖するようにしてもよい。マガジンヘッドは、ステープルマガジンの補助構成部材として該ステープルマガジンの側壁と結合され、たとえばこれに溶接される。
【図面の簡単な説明】
【０００９】
次に、本発明を図面に図示した実施形態に関し詳細に説明する。
【図１】ステープラーを斜め下から見た斜視図および部分Ａの拡大図である。
【図２】図１のステープラーの側面図および部分Ｂの拡大図である。
【発明を実施するための形態】
【００１０】
図面に図示したステープラー１０は台脚１２を有し、その前部領域の上面に台板１４が配置されている。台脚１２はその後部領域に支持ブロック１６を有し、該支持ブロック１８内には横軸１８が支持され、該横軸１８のまわりにステープルマガジン２０が台脚１２に対し制限的に回動可能である。台脚１２とステープルマガジン２０に対し横軸１８のまわりで回動可能であるように支持ブロック１６内で駆動脚２２が支持され、該駆動脚２２は、ハンドレバーとして用いられるプラスチックカバーと、ステープルマガジン２０内に収容されている書類綴じステープルに力を作用させるための駆動体とを有している。
【００１１】
ステープルマガジン２０内に収容されている書類綴じステープルのうちその都度最前列のステープルを駆動体による力の作用で押し出すため、ステープルマガジン２０はその底壁２４内にステープルスロット２６を有している。ステープルスロット２６はステープルマガジン２０の前端のために係止板２８によって画成され、係止板２８に対しては最前列の書類綴じステープルが弾性的に押圧される。ステープルスロット２６はその幅狭側でステープルマガジン２０の側壁３０によって画成され、該側壁３０は前記前端から支持ブロック１６まで延在している。側壁３０の間で測ったステープルスロット２６の幅は、書類綴じステープルのステープル脚の外面の間で測った該書類綴じステープルの幅に相当しており、その結果書類綴じステープルはステープルスロット２６をストレートに通過することができる。前記側壁３０には心棒３２が一体に成形されており、心棒３２は側壁３０に対し垂直に見て三角形の横断面を有し、下向きに尖っている。心棒３２はステープルスロット２６の両側に配置されて、一部は台脚１２のほうへ下方へ延びている。その、互いに対向しあっている内面３４は、ステープルスロットの境界面３６と整列しており、その結果内面３４はステープルスロット２６から出る書類綴じステープルのための補助的なガイドを形成している。さらに心棒は、駆動脚２２を押し下げる際に台脚１４とステープルマガジン２０との間で締め付けられる書類に対する締め付け作用を改善させる。
【００１２】
以上を要約すると、以下のようになる。
本発明は、書類を担持する台脚１２を載置するために前部領域に配置される台板１４と、台脚１２の後部領域に設けた支持ブロック１６において横軸１８のまわりに制限的に回動可能なステープルマガジン２０と、横軸１８のまわりにステープルマガジン２０および台脚１２に対し制限的に回動可能で、ステープルマガジン２０の前端に設けたステープルスロット２６を通じて書類綴じステープルを押し出す駆動体を担持している駆動脚２２とを備え、ステープルスロット２６が、ステープルマガジン２０の前端から支持ブロック１６の方向へ延在している複数個の側壁３０の間でステープルマガジン２０の底壁２４を横方向に貫通して延在し、ステープルスロット２６の前端を書類綴じステープルのための係止板２８によって画成するようにしたステープラーに関する。本発明によれば、ステープルスロット２６がステープルマガジン２０の側壁３０に対し閉鎖されていること、ステープルマガジン２０がその側壁３０にそれぞれ底壁２４から突出する心棒３２を有していること、心棒３２がステープルスロット２６の両側に配置されていることが提案される。
【図１】
2011513080.tif 000003
【図２】
2011513080.tif 000004
【国際調査報告】
2011513080.tif 000005
2011513080.tif 000006
2011513080.tif 000007
2011513080.tif 000008